(57)【特許請求の範囲】
【請求項１】
基端側を本体部(1) の側壁(5) に取り付けるとともに、先端側を本体部(1) の外方向の斜め上方側に延ばした可撓性を有する弾性片(2) を複数、備え、本体部(1) を天井(T) に穿設した穿設孔(T1)内に入れることにより、弾性片(2) 各々の側面が穿設孔(T1)の内周壁(T2)を押圧し、これらの弾性片(2) の押圧力によって本体部(1) を天井(T) に取付けるようにした埋め込み型照明器具において、
上記弾性片(2) 各々の先端側に、本体部(1) に係脱自在に係止し得る本体係止部(92)と、天井(T) の穿設孔(T1)内に装着した本体部(1) が天井(T) から落下するのを防止するための天井係止部(91a) と、天井係止部(91a) を天井(T) の穿設孔(T1)内に入れる際の案内をする案内部(91b) とが備えられ、
本体係止部(92)が、本体部(1) の壁面(5) に係止されることにより、弾性片(2) における本体係止部(92)と本体部(1) への取付基端部(8) との間に弾性片(2) の撓みによる湾曲部(10)(110)(111)が本体部(1) の外方向に突出形成され、この湾曲部(10)(110)(111)が、天井(T) の穿設孔(T1)への本体部(1) の挿入に伴い穿設孔(T1)の内周壁(T2)に当接して本体部(1) の内方向に押圧されることにより、本体係止部(92)と本体部(1) との係止が解除し得るようになされ、
天井係止部(91a) が、本体係止部(92)の下方側における弾性片(2) の側面から本体部(1) の外方向に所定距離だけ隔てた位置に配位されることにより、天井(T) の穿設孔(T1)内に装着された本体部(1) の下方側への移動に伴って天井係止部(91a) と天井(T) における穿設孔(T1)の周部とが係止し得るようになされ、
案内部(91b) は、弾性片(2) の側面から本体部(1) の外方向に、上方から下方にかけて漸次突出量が多くなるように突設され、この案内部(91b) が、本体係止部(92)と天井係止部(91a) との間に天井係止部(91a) を上方側から覆うように配位されたものであることを特徴とする埋め込み型照明器具。
【請求項２】
基端側を本体部(1) の側壁(5) に取り付けるとともに、先端側を本体部(1) の外方向の斜め上方側に延ばした可撓性を有する弾性片(2) を複数、備え、本体部(1) を天井(T) に穿設した穿設孔(T1)内に入れることにより、弾性片(2) 各々の側面が穿設孔(T1)の内周壁(T2)を押圧し、これらの弾性片(2) の押圧力によって本体部(1) を天井(T) に取付けるようにした埋め込み型照明器具において、
上記弾性片(2) 各々の先端側に、本体部(1) に係脱自在に係止し得る本体係止部(92)と、弾性片(2) の側面から一体に形成されたリブ(91)とが備えられ、弾性片(2) 各々の本体係止部(92)と本体部(1) への取付基端部(8) との間に、折り曲げ部(101)(102)が備えられ、
当該折り曲げ部(101)(102)によって、本体係止部(92)と本体部(1) の壁面(5) との係止に伴い弾性片(2) における本体係止部(92)と取付基端部(8) との間に弾性片(2) の撓みによる複数の湾曲部(110) (111) が本体部(1) の外方向に突出形成され、これらの湾曲部(110)(111)の少なくとも一つが、天井(T) の穿設孔(T1)への本体部(1) の挿入に伴い穿設孔(T1)の内周壁(T2)に当接して本体部(1) の内方向に押圧されることにより、本体係止部(92)と本体部(1) との係止が解除し得るようになされ、
上記リブ(91)が、弾性片(2) の側面の一部を本体部(1) の外方向に押圧成形することにより、弾性片(2) の側面から本体部(1) の外方向に突設された下片と上片とを備えたものからなり、
このリブ(91)の下片が、天井(T) の穿設孔(T1)内に装着された本体部(1) の下方側への移動に伴って天井(T) における穿設孔(T1)の周部に係止する天井係止部(91a) をなし、この天井係止部(91a) によって天井(T) の穿設孔(T1)内に装着した本体部(1) の天井(T) からの落下が防止され、
リブ(91)の上片が、弾性片(2) の側面から天井係止部(91a) にかけて漸次下方に傾斜する傾斜面に形成されることにより、この上片が天井係止部(91a) を天井(T) の穿設孔(T1)内に入れる際の案内をする案内部(91b) をなすものであることを特徴とする埋め込み型照明器具。
【発明の詳細な説明】
【０００１】
【発明の属する技術分野】
本願発明は、天井に穿設した穿設孔に取り付ける埋め込み型の照明器具の改良に関するものである。
【０００２】
【従来の技術】
天井に穿設した穿設孔に取り付ける埋め込み型の照明器具としては、従来、例えば図１５(A)(B)に示すようなものが知られている。この照明器具は、本体部ｂと、板状からなる一対の弾性片ａ、ａとを備え、一対の弾性片ａ、ａ各々の基端側を本体部ｂの外側壁に取り付け、先端側を本体部ｂへの取付基端部から本体部ｂの外方斜め上方側に延ばしたものである。そして、本体部ｂに取り付けた一対の弾性片ａ、ａを弾性力に抗して両側から本体部ｂ側に押圧し、その状態から本体部ｂを天井Ｔに穿設した穿設孔Ｔ１内に下方側から入れることにより、弾性片ａ、ａ各々の側面が穿設孔Ｔ１の内周壁Ｔ２を押圧し、この押圧力によって本体部ｂを天井Ｔに取り付けるようにしたものである。尚、図中のｃは、ソケットを示し、ｄは、電球を示している。
ところが、弾性片ａ、ａの先端が穿設孔Ｔ１の内周径以上に広がっているため、本体部ｂを天井Ｔに穿設した穿設孔Ｔ１内に入れる際には、手で弾性片ａ、ａ各々の先端側を同時に弾性片ａの弾性力に抗して本体部ｂ側に撓ませ、その状態で入れなければならない。又、弾性片ａの有する弾性力によって本体部ｂを天井Ｔに取り付けるものであるため、手で弾性片ａの弾性力に抗して内側に撓ませるには、相当の力が必要となり、大変な労力を要し、取付け作業が難しいという課題がある。特に、弾性片ａの数が三つ以上になると手で各々の弾性片ａを同時に内側に撓ませるのは困難となる。
又、天井Ｔの穿設孔Ｔ１内に装着した後においては、照明器具全体の重量が重い場合等には、その重量によって全体が弾性片ａの弾性力に抗して穿設孔Ｔ１の内周壁Ｔ２をすべるおそれがある。このようなすべりが生じると全体が天井から落下してしまう。この場合、弾性片ａを弾性力を強くすることも考えられるが、弾性力を強くすると手で弾性片ａの弾性力に抗して内側に撓ませて穿設孔Ｔ１に入れる操作が一層困難になってしまう。
【０００３】
そこで、本出願人は、手で弾性片ａを弾性力に抗して内側に撓ませなくても容易に取付け作業を行い得る埋め込み型の照明器具を開発した。この照明器具は、図１６に示すように各弾性片ａの先端側に、本体部ｂに係脱自在に係止し得る本体係止部ｄを設けるとともに、本体係止部ｄの上方側に弾性片ａの先端を本体部ｂの外側に略直角に折り曲げ成形した落下防止爪ｅを設けたものである。
この本体係止部ｄは、弾性片ａの先端の一部を本体部ｂ側の内側に折り曲げることにより、本体部ｂの壁面ｂ１に係止できるようになし、係止本体部ｂの壁面ｂ１に係止されると弾性片ａにおける本体係止部ｄと本体部ｂへの取付基端部ｄ１との間に、弾性片ａの撓みによる湾曲部ａ１が本体部ｂの外方向に突出して形成され、そして、本体係止部ｄと本体部ｂの壁面ｂ１に係止させた状態で、天井Ｔの穿設孔Ｔ１へ本体部１を挿入していくと湾曲部ａ１が穿設孔Ｔ１の内周壁Ｔ２に当接して本体部ｂの内方向に押圧され、本体係止部ｄと本体部ｂとの係止を解除できるようにしたものである。こうすることにより、手で弾性片ａを内側に撓ませながら行わなくても容易に天井Ｔの穿設孔Ｔ１に装着できる。
又、本体部ｂを天井Ｔの穿設孔Ｔ１に装着後は、仮に弾性片ａが穿設孔Ｔ１をずり落ちた場合でも、落下防止爪ｅが天井Ｔの上面における穿設孔Ｔ１の周部に係止し、本体部ｂの落下を防止できる（図中に一点鎖線で落下防止爪ｅと天井Ｔとの係止状態を示す）。
しかしながら、落下防止爪ｅが、弾性片ａの先端で外側に略直角に折り曲げ形成されているため、本体部ｂを天井Ｔの穿設孔Ｔ１内に入れる際、落下防止爪ｅが天井Ｔの下面における穿設孔Ｔ１の周部に当たってしまい、穿設孔Ｔ１内に入れ難い場合があり、装着作業を効率良く行うことができないという課題がある。特に、ソケットが本体部ｂの側方に突出しているような照明器具であるような場合には、この図１６に示すように本体部ｂを天井Ｔの穿設孔Ｔ１内に入れる際、本体部ｂを傾けて行う必要があり、その場合には、落下防止爪ｅが天井Ｔの下面における穿設孔Ｔ１の周部に当たり易く、穿設孔Ｔ１内に入れるのが困難となる。
【０００４】
【発明が解決しようとする課題】
本願発明は、以上の実情に鑑み提案されたもので、天井に穿設した穿設孔に本体部を容易に入れることができ、装着作業を容易に行える埋め込み型照明器具を提供することを目的とする。
【０００５】
【課題を解決するための手段】
基端側を本体部１の側壁５に取り付けるとともに、先端側を本体部１の外方向の斜め上方側に延ばした可撓性を有する弾性片２…２を複数、備え、本体部１を天井Ｔに穿設した穿設孔Ｔ１内に入れることにより、弾性片２…２各々の側面が穿設孔Ｔ１の内周壁Ｔ２を押圧し、これらの弾性片２…２の押圧力によって本体部１を天井Ｔに取付けるようにした埋め込み型照明器具において本願発明は、次の特徴を有するものを提供することにより、上記課題を解決する。
【０００６】
本願第１の発明は、上記の埋め込み型照明器具において、弾性片２各々の先端側に、本体部１に係脱自在に係止し得る本体係止部９２と、天井Ｔの穿設孔Ｔ１内に装着した本体部１が天井Ｔから落下するのを防止するための天井係止部９１ａと、天井係止部９１ａを天井Ｔの穿設孔Ｔ１内に入れる際の案内をする案内部９１ｂとが備えられる。
本体係止部９２は、本体部１の壁面５に係止されることにより、弾性片２における本体係止部９２と本体部１への取付基端部８との間に弾性片２の撓みによる湾曲部１０、１１０、１１１が本体部１の外方向に突出形成される。又、この湾曲部１０、１１０、１１１は、天井Ｔの穿設孔Ｔ１への本体部１の挿入に伴い穿設孔Ｔ１の内周壁Ｔ２に当接して本体部１の内方向に押圧されることにより、本体係止部９２と本体部１との係止が解除し得るようになされる。
天井係止部９１ａは、本体係止部９２の下方側における弾性片２の側面から本体部１の外方向に所定距離だけ隔てた位置に配位されることにより、天井Ｔの穿設孔Ｔ１内に装着された本体部１の下方側への移動に伴って天井係止部９１ａと天井Ｔにおける穿設孔Ｔ１の周部とが係止し得るようになされる。
案内部９１ｂは、弾性片２の側面から本体部１の外方向に、上方から下方にかけて漸次突出量が多くなるように突設され、この案内部９１ｂが、本体係止部９２と天井係止部９１ａとの間に天井係止部９１ａを上方側から覆うように配位されたものである。
【０００７】
本願第２の発明は、上記の埋め込み型照明器具において、弾性片２各々の先端側に、本体部１に係脱自在に係止し得る本体係止部９２と、弾性片２の側面から一体に形成されたリブ９１とが備えられる。又、弾性片２各々の本体係止部９２と本体部１への取付基端部８との間に、折り曲げ部１０１、１０２が備えられる。
そして、当該折り曲げ部１０１、１０２によって、本体係止部９２と本体部１の壁面５との係止に伴い弾性片２における本体係止部９２と取付基端部８との間に弾性片２の撓みによる複数の湾曲部１１０、１１１が本体部１の外方向に突出形成され、これらの湾曲部１１０、１１１の少なくとも一つが、天井Ｔの穿設孔Ｔ１への本体部１の挿入に伴い穿設孔Ｔ１の内周壁Ｔ２に当接して本体部１の内方向に押圧されることにより、本体係止部９２と本体部１との係止が解除し得るようになされる。
上記リブ９１は、弾性片２の側面の一部を本体部１の外方向に押圧することにより、弾性片２の側面から本体部１の外方向に突設された下片と上片とを備えている。
このリブ９１の下片は、天井Ｔの穿設孔Ｔ１内に装着された本体部１の下方側への移動に伴って天井Ｔにおける穿設孔Ｔ１の周部に係止する天井係止部９１ａをなし、この天井係止部９１ａによって天井Ｔの穿設孔Ｔ１内に装着した本体部１の天井Ｔからの落下が防止される。
リブ９１の上片は、弾性片２の側面から天井係止部９１ａにかけて漸次下方に傾斜する傾斜面に形成されることにより、この上片が天井係止部９１ａを天井Ｔの穿設孔Ｔ１内に入れる際の案内をする案内部９１ｂをなすものである。
【０００８】
以上のように構成された本願第１の発明においては、天井係止部９１ａ及び案内部９１ｂを、本体係止部９２の下方側に設けているため、天井Ｔの穿設孔Ｔ１に、本体部１を傾けて入れる必要が有る場合にも、天井係止部９１ａ及び案内部９１ｂが天井Ｔの下面における穿設孔Ｔ１の周部に当たり難くできる。又、仮に当たった場合でも、案内部９１ｂが当たり、天井係止部９１が当たるようなことを防止でき、案内部９１ｂによって容易に穿設孔Ｔ１内に入れることができる。
【０００９】
本願第２の発明においては、折り曲げ部１０１、１０２によって、本体係止部９２と本体部１の壁面５との係止に伴い弾性片２における本体係止部９２と取付基端部８との間に弾性片２の撓みによる複数の湾曲部１１０、１１１を本体部１の外方向に突出形成し得るものとする。こうすることにより、例えば図１３に示すように本体部１を穿設孔Ｔ１内に傾けて入れる必要がある場合、湾曲部１０を一つだけで構成した場合には、図１３中に一点鎖線で示すように穿設孔Ｔ１の内周壁Ｔ２が、左方側の弾性片２の湾曲部１０の上部側に、右方側の弾性片２の湾曲部１０の下部側に配位することになり、その状態で穿設孔Ｔ１に入れていくと右方側の弾性片２の湾曲部１０の下部側が下方にいくに従い漸次突出径が小さくなるため、穿設孔Ｔ１の内周壁Ｔ２が左右両側の弾性片２、２の湾曲部１０、１０を押圧できず、その結果、左右両側の弾性片２、２の本体係止部９２、９２と本体部１の係止用溝５２、５２との係止を外せない場合がある。しかし、この本願第２発明のように各弾性片２に第１湾曲部１１０と第２湾曲部１１１とを形成しておくことで、穿設孔Ｔ１の内周壁Ｔ２が第２湾曲部１１１に当たると同時に、右方側の弾性片２の第１湾曲部１１０に当たって本体部１側に押圧され、双方の弾性片２の本体係止部９２と本体部１の係止用溝５２との係止を同時に、確実に外すことができる。従って、特に本体部１を穿設孔Ｔ１内に傾けて入れる場合に便利に使用できるものとなる。
一方、天井係止部９１ａと案内部９１ｂとを、弾性片２の側面の一部を本体部１の外方向に押圧することによって弾性片２の側面から本体部１の外方向に突設されたリブ９１から構成することにより、天井係止部９１ａや案内部９１ｂに力がかかった場合に変形し難いものにできる。
【００１０】
【発明の実施の形態】
以下、図を基に本願発明の一実施形態を具体的に説明する。
図１は、本願発明の一実施形態の埋め込み型照明器具の分解斜視図である。
本願発明の埋め込み型照明器具は、本体部１と、可撓性を有する複数の弾性片２、２とを備えている。
【００１１】
本体部１は、下部枠３と、上部枠４とを備えている。
下部枠３は、本実施形態では、全体が円筒状をなし、外周径が天井Ｔ（図６に図示）に穿設された円形状の穿設孔Ｔ１の内周径より小さく設定され、穿設孔Ｔ１内に入れられるようになされている。尚、この下部枠３の形状は、天井Ｔの穿設孔Ｔ１の形状に適合させて形成するれば良く、例えば穿設孔Ｔ１が四角形であれば下部枠３の形状も四角形に合わせて形成すれば良い。又、下部枠３の外周面には、上部枠４を固定するためのボルト挿通孔３１ａを有する固定部３１、３１が二つ、対向するようにして備えられている。この固定部３１は、上部枠４の厚さを考慮して外周面より内方に窪まされて形成されている。一方、下端には、所定幅で全周に渡って形成された円板状の鍔部３２が備えられ、図６に示すように天井Ｔの下面における穿設孔Ｔ１の周部に当接できるようになされている。
【００１２】
上部枠４は、左右の両側片５、５と、上片６とを有し、全体がコの字状を呈している。左右の各側片５、５は、下端に下部枠３の固定部３１に固定されるボルト挿通孔５１ａを有する固定片５１が備えられており、後述のボルト７ａ及びナット７ｂとにより、上部枠４が下部枠３に固定できるようになされている。この固定片５１は、図３に示すように側片５から内方側に折り曲げられることにより、固定片５１の外面と側片５の外側壁とに段部５１ｂが形成され、この段部５１ｂによってボルト挿通孔５１ａに通されたボルト７の頭部７ａが側片５の外側壁より外方に突出しないようになされている。
【００１３】
又、左右の各側片５、５における固定片５１の上方には、図２に示すように係止用溝５２が穿設されている。この実施形態における係止用溝５２は、所定幅Ｌ１で側片５の長手方向に沿って上下に穿設されるとともに、その上端に係止用溝５２の幅Ｌ１より幅Ｌ２の広い幅広部５２ａを備えたものとされている。
【００１４】
上片６には、図１に示すようにソケット等を備えたソケット部材Ｓを取り付けるためのソケット取付け孔６１、６１が備えられており、このソケット取付け孔６１、６１を介してソケット部材Ｓが本体部１の側方に突出した状態で固定できるようになされている。
【００１５】
弾性片２、２は、本体部１を天井Ｔの穿設孔Ｔ１に取付けるためのもので、本実施形態では、二つから構成され、各々は、板状の鋼から構成され、可撓性を有するものからなる。この弾性片２は、図４(A)(B)(C) に示すように一枚の板状体の下端部を略Ｖ字状に折り曲げ成形することにより形成され、下部左方側の本体取付用片８と、右方側の押圧用片９とから構成されている。
【００１６】
本体取付用片８は、本体部１に取り付けられる取付部をなし、上部に上部枠４の係止用溝５２に引っ掛けられる引っ掛け部８１と、上部枠４の固定片５１に取付けられる本体取付部８２とを備えている。引っ掛け部８１は、この図４(A) に示すように本体取付用片８の前部及び後部各々を前後対称にコの字状にカットされることにより所定幅に形成された溝嵌挿部８１ｂ及び引っ掛け片８１ｃ、８１ｃとを備えている。溝嵌挿部８１ｂの幅は、係止用溝５２の溝幅Ｌ１よりやや細幅に形成されることにより、係止用溝５２に嵌挿できるようになされ、一方、引っ掛け片８１ｃ、８１ｃは、溝嵌挿部８１ｂの前後両側に係止用溝５２の溝幅Ｌ１より幅広に突設されることにより、上部枠４の側片５における係止用溝５２の前後両側部に当接できるようになされている。又、この引っ掛け片８１ｃ、８１ｃの幅は、係止用溝５２の幅広部５２ａの幅Ｌ２より狭く形成されており、幅広部５２ａから引っ掛け片８１ｃ、８１ｃを入れることにより、溝嵌挿部２１ｂを係止用溝５２に嵌挿できるようにしている。尚、この引っ掛け片８１ｃ、８１ｃは、係止用溝５２から入れることも可能である。
【００１７】
又、本体取付用片８における本体取付部８２は、図４(A) に示すように引っ掛け部８１から段部を介して内方側（図示の下側）に折り曲げ成形されることにより、上記の固定片５１の外側壁と側片５の外側壁との段部５１ｂに合致するようになされている。又、本体取付部８２には、ボルト挿通孔８２ａが穿設されている。
【００１８】
そして、この本体取付用片８は、次のようにして本体部１に取付けられる。
まず、図６に示すように引っ掛け片８１ｃ、８１ｃが係止用溝５２から内側に通され、その状態でボルト７ａが本体取付部８２のボルト挿通孔８２ａから上部枠４のボルト挿通孔５１ａ、更に下部枠３のボルト挿通孔３１ａに通された後、ナット７ｂに係止されることにより、下部枠３と上部枠４とが固定されると同時に、弾性片２も上部枠４及び下部枠３に固定される。この固定状態においては、ボルト７ａの締め付けに伴い引っ掛け部８１の溝嵌挿部８１ｂが撓みつつ本体取付部８１が固定片５１の外側壁に沿わされるため、弾性片２が上部枠４に付勢状態で取り付けられることになり、弾性片２と上部枠４とを確実に固定させることができる。しかも、溝嵌挿部８１ｂが係止用溝５２に嵌挿していることによって、弾性片２が上部枠４に対して前後移動するようなことがなく、ずれを防止できる。一方、弾性片２の本体取付用片８が上記のようにして本体部１に取り付けられることにより、弾性片２の押圧用片９は、その下端が本体部１の下部枠３の鍔部３２近傍に配設され、上端の先端側が下端から本体部１の外方向の斜め上方を向いた状態に配設されている。
【００１９】
この押圧用片９は、図４(A) に示すように急傾斜部９ａと、急傾斜部９ａの先端側に形成された緩傾斜部９ｂとを備えている。急傾斜部９ａは、本体部１に取り付けられた図６に示す状態で本体部１の外方向の斜め上方側に延ばされるように形成されている。一方、緩傾斜部９ｂは、急傾斜部９ａから更に本体部１の外方向に所定角度をなして折り曲げ成形されている。
【００２０】
又、この緩傾斜部９ｂの上端をなす先端には、本体係止部９２が備えられ、その下方に天井係止部９１ａと、案内部９１ｂとを備えている。
【００２１】
本体係止部９２は、上部枠４の側片５の係止用溝５２に係脱自在に係止するためのもので、本実施形態では図５(A) に示すように前後両側( 図５(A) では左右両側) に設けられた二つの本体係止片９２ａ、９２ａから構成されている。これらは、緩傾斜部９ｂの先端における前後中央部をカットすることにより、その先端の前後両側に所定幅及び長さの突片を形成し、その突片各々を、図５(B) に示すように本体部１側の内側（図５(B) の左側）に略Ｕ字状に折り曲げ成形することにより溝状の係合部９２ｃを形成し、係止用溝５２の幅広部５２ａにおける下片５２ｂ、５２ｂ（図２参照）に上方側から係合できるようになされている。
【００２２】
天井係止部９１ａは、天井Ｔの穿設孔Ｔ１にセットされた本体部１が天井Ｔの穿設孔Ｔ１から下方側にずり落ちた場合でも、本体部１が天井Ｔから落下してしまわないようにするための役目をなすものであり、一方、案内部９１ｂは、天井係止部９１ａを天井Ｔの穿設孔Ｔ１に入れる際の案内をするためのものである。本実施形態では、図５(A)(B)に示すように緩傾斜部９ｂにおける本体係止部９２の下方側の前後両側部各々に、長手方向に沿って２つの切り溝９５ａを前後対称になるように入れることにより、前後両側部各々に細幅片を形成し、そして、これらの細幅片を本体部１側から外側（図５(B) では左側から右側）に型押しすることにより本体部１の外側に略Ｌ字状に突出した二つのリブ９１を一体的に形成し、このリブ９１各々の下片が天井係止部９１ａをなし、各々の上片が案内部９１ｂをなすようにしている。
【００２３】
このようにして形成された天井係止部９１ａは、図５(B) に示すように緩傾斜部９ｂの側面とのなす角度Ｐ１が、直角よりやや大きい程度とされており、図１１に示すように天井Ｔの穿設孔Ｔ１にセットされた後に、天井Ｔの上面における穿設孔Ｔ１の周部に係止できるようになされている。一方、案内部９１ｂは、図５(B) に示すように天井係止部９１ａより長さが長く、緩傾斜部９ｂの側面とのなす角度Ｐ２が、天井係止部９１ａのなす角度Ｐ１より相当大きくなるように設定されることにより、緩傾斜部９ｂの側面から天井係止部９１ａの先端にかけて下方に傾斜する傾斜面をなしており、図７に示すように本体部１を天井Ｔの穿設孔Ｔ１に下方側から入れる際に、天井Ｔの下面における穿設孔Ｔ１の周部に当たった場合でも、係止することなく滑りながら押し入れられるようになされている。
【００２４】
以上のように構成された本願発明の埋め込み型照明器具の使用方法について説明する。
弾性片２が取り付けられた状態の本体部１は、図６に示すように弾性片２の押圧用片９の先端側が外側に開き、この状態では上部枠４側から天井Ｔの下方側から穿設孔Ｔ１に入れることができない。そこで、図７に示すように各弾性片２の本体係止片９２ａの係合部９２ｃを、上部枠４の側片５における係止用溝５２の幅広部５２ａの下片５２ｂに係止させておく。本体係止片９２ａを係止用溝５２に係止させるには、押圧用片９の先端側を、押圧用片９の弾性に抗して下方側から押し上げるようにして本体部１側に撓ませ、本体係止片９２ａを係止用溝５２の幅広部５２ａにおける下片５２ｂに係止させる。その際、この急傾斜部９ａには、湾曲部１０が形成され、その湾曲部１０は、図８に示すように左右の両弾性片２に形成されたもの同士の間隔Ｌ４が穿設孔Ｔ１の径Ｌより大きく形成される。尚、本体係止片９２ａを係止用溝５２の下片５２ｂに係合させる際は、本体係止片９２ａが係止用溝５２の下片５２ｂの近くまでくると、急傾斜部９ａに形成された湾曲部１０を内方向に押圧するようにすれば本体係止片９２ａを上方に押し上げられ、そして、本体係止片９２ａが係止用溝５２の下片５２ｂの上方位置まで持っていき、その時点で湾曲部１０の押圧を止める。これにより、本体係止片９２ａが下方位置に戻り、本体係止片９２ａを係止用溝５２の下片５２ｂに容易に係止せることができる。
【００２５】
そして、この係止状態で、本体部１を、上部枠４側から天井Ｔの穿設孔Ｔ１に挿入していく。その際、本実施形態のようにソケット部材Ｓが本体部１の側方に突出している場合には、本体部１を傾けて天井Ｔの穿設孔Ｔ１に挿入していく必要がある。しかし、本願発明においては天井係止部９１ａ及び案内部９１ｂが本体本体係止片９２ａの下方側に設けているため、本体部１全体を傾けた場合でも、天井Ｔの下面における穿設孔Ｔ１の周部に当たり難く、天井係止部９１ａが邪魔になることなく容易に穿設孔Ｔ１に挿入できる。又、仮に図７に示すように天井Ｔの下面における穿設孔Ｔ１の周部が案内部９１ｂに当たった場合でも、案内部９１ｂが下方側に傾斜した傾斜面をなしているため、本体部１の押し上げに伴って案内部９１ｂが天井Ｔの下面における穿設孔Ｔ１の周部を滑り、その結果、弾性片２が天井Ｔに引っ掛かることなく本体部１を容易に穿設孔Ｔ１内に入れることができる。
【００２６】
更に、本体部１を穿設孔Ｔ１内に挿入していくと、上述のように湾曲部１０、１０同士の間隔Ｌ４が穿設孔Ｔ１の径より大きく形成されているため、図８、９に示すように穿設孔Ｔ１の内周壁Ｔ２と湾曲部１０、１０とが当接するが、その当接状態から本体部１を押圧する。これにより、急傾斜部９ａ、９ａが本体部１方向の押圧力を受け、湾曲部１０、１０が直線状になろうとする力がかかる。急傾斜部９ａにこのような力がかかると、緩傾斜部９ｂが本体部１の側壁５に押し当てられて上方に押し上げられ、側壁５を上方側に滑る。その結果、本体係止片９２ａも上方に押し上げられ、本体係止片９２ａが係止用溝５２から容易に外れる。又、本体部１を穿設孔Ｔ１に挿入する際、穿設孔Ｔ１に対し本体部１を傾けた状態で挿入した場合でも湾曲部１０、１０が内周壁Ｔ２に押圧され、本体係止片９２ａ、９２ａが係止用溝５２から容易に外れる。本体係止片９２ａ、９２ａが係止解除された後は、図６中に一点鎖線で示すように湾曲部１０を形成していた急傾斜部９ａが元の直線状に戻り穿設孔Ｔ１の内周壁Ｔ２を押圧する。これにより、本体部１を、天井Ｔの穿設孔Ｔ１に固定でき、装着が完了する。
【００２７】
又、天井Ｔの厚さが厚い場合には、図１０に示すように天井Ｔの穿設孔Ｔ１の内周壁Ｔ２に緩傾斜部９ｂを当接させることができる。天井Ｔの厚さが厚くなると、それに従って天井Ｔの内周壁Ｔ２によって弾性片２が本体部１側に押圧されることになり、例えば弾性片２の押圧用片９を、緩傾斜部９ｂを設けずに急傾斜部のみから構成した場合には、急傾斜部が垂直状に近い状態になり（図示の一点鎖線で示す）、内周壁Ｔ２を下方向に滑り易くなる。その結果、照明器具が自身の重量によって下方側にずれる恐れが大きくなる。しかし、本願発明のように急傾斜部９ａから更に本体部１の外方向に所定角度で折り曲げ成形した緩傾斜部９ｂを内周壁Ｔ２に当接させることで、天井Ｔの厚さが厚くなった場合でも緩傾斜部９ｂを本体部１の外方向に傾いた状態に維持でき、下方向に滑り難くできる。従って、照明器具が自身の重量によって穿設孔Ｔ１に対する下方側へのずれを確実に防止できる。
【００２８】
そして、穿設孔Ｔ１に装着後、緩傾斜部９ｂが天井Ｔを滑った場合には、図１１に示すように天井係止部９１ａが天井Ｔの上面における穿設孔Ｔ１の周部に係止する。これにより、全体が、天井Ｔから外れて下方に落下してしまうようなことを防止できる。
【００２９】
以上のようにして、本体部１を天井Ｔに取り付けることにより、天井Ｔの穿設孔Ｔ１に入れる際、弾性片２、２を手で撓ませなくても下方側から上方側に入れれば良く、特に、弾性片２を、三つ以上設けたような場合にも、同様に単に本体部１を天井Ｔの穿設孔Ｔ１に入れれば良く、しかも、天井Ｔからの落下防止用の天井係止部９１ａが天井Ｔに当たるようなことがなく、取付け作業を容易なものにでき、効率良く作業を行うことができる。又、装着後は、天井係止部９１ａによって全体が天井Ｔから外れて下方に落下するのを確実に防止できる。
【００３０】
次に、弾性片２の他の実施形態について説明する。
この実施形態の弾性片２は、図１２に示すように先の実施形態の弾性片２と同様に一枚の板状体の下端部を略Ｖ字状に折り曲げ成形することにより、下部左方側の本体取付用片８と、右方側の押圧用片９とから構成されている。
【００３１】
本体取付用片８は、先の実施形態の弾性片２と同構成を採り、同方法により本体部１に取付けられる。一方、押圧用片９は、先の実施形態の弾性片２と異なり、第１折り曲げ部１０１、第２折り曲げ部１０２、第３折り曲げ部１０３の三つの折り曲げ部によって、押圧用片９が下方側から順に第１傾斜部１０４、第２傾斜部１０５、第３傾斜部１０６、第４傾斜部１０７に区画されている。そして、先端側に区画された第４傾斜部１０７は、先の実施形態における緩傾斜部９ｂに相応する部分に形成されており、この第４傾斜部１０７には、本体係止部９２と、その下方に天井係止部９１ａと案内部９１ｂとを一体に形成したリブ９１とが備えられている。これらの本体係止部９２及びリブ９１は、先の実施形態のものと同構成を採る。一方、第１傾斜部１０４、第２傾斜部１０５、第３傾斜部１０６は、先の実施形態における急傾斜部９ａに相応する部分に形成されており、これらによって、本体係止部９２を本体部１の係止用溝５２に係止した場合に、図１３に示すように第１傾斜部１０４が撓んで第１湾曲部１１０を形成するとともに、第２傾斜部１０５と第３傾斜部１０６で第２湾曲部１１１が形成される。
【００３２】
尚、折り曲げ部の数は、特に限定されず、一つ又は複数から構成しても良く、又、湾曲部の数も、三つ以上から構成しても良く、適宜変更できる。
【００３３】
このようにして第１湾曲部１１０と、第２湾曲部１１１とを形成することにより、天井Ｔの穿設孔Ｔ１に入れる際、第１湾曲部１１０又は第２湾曲部１１１のいずれかに穿設孔Ｔ１の内周壁Ｔ２に当たって本体部１側に押圧されると、本体係止部９２と本体部１の係止用溝５２との係止が外れる。例えば本体部１を穿設孔Ｔ１内に傾けて入れる必要がある場合、先の実施形態のように湾曲部１０が一つの場合には、図１３中に一点鎖線で示すように穿設孔Ｔ１の内周壁Ｔ２が、左方側の弾性片２の湾曲部１０の上部側に、右方側の弾性片２の湾曲部１０の下部側に配位することになり、その状態で穿設孔Ｔ１に入れていくと右方側の弾性片２の湾曲部１０の下部側が下方にいくに従い漸次突出径が小さくなるため、穿設孔Ｔ１の内周壁Ｔ２が左右両側の弾性片２、２の湾曲部１０、１０を押圧できず、その結果、左右両側の弾性片２、２の本体係止部９２、９２と本体部１の係止用溝５２、５２との係止を外せない場合がある。しかし、この実施形態のように各弾性片２に第１湾曲部１１０と第２湾曲部１１１とを形成しておくことで、穿設孔Ｔ１の内周壁Ｔ２が第２湾曲部１１１に当たると同時に、右方側の弾性片２の第１湾曲部１１０に当たって本体部１側に押圧され、双方の弾性片２の本体係止部９２と本体部１の係止用溝５２との係止を同時に、確実に外すことができる。従って、特に本体部１を穿設孔Ｔ１内に傾けて入れる場合に便利に使用できるものとなる。以上が、他の実施形態の弾性片２の説明である。
【００３４】
尚、本実施形態では、本体部１を、下部枠３と、上部枠４とから構成しているが、一体のものから構成しても良く、又、本体部１の形状についても、本実施形態のように左右の両側片５、５と上片６とからなるコの字状のものからなるものに限らず、例えば図１５(A)(B)に示したような円筒状のものから構成しても良く、適宜変更できる。
【００３５】
又、本実施形態では、二つの弾性片２、２を設けたものとしているが、三つ以上設けて良く、その場合は、弾性片２の数に合わせた数だけ、上部枠４の側片５及び下部枠３の固定部３１を設けるようにすれば良い。更に、本実施形態では本体部１の側壁５に係止用溝５２を形成し、これに弾性片２の本体係止部９２を係止させているが、この態様のものに限らず、例えば本体部１の上壁５に突片を形成し、その突片に本体係止部９２を係止させるようにしても良い。
【００３６】
また、天井係止部９１ａと案内部９１ｂは、上記のように一体に形成したリブ９１から構成すると、天井係止部９１ａに力がかかった場合にも緩傾斜部９ｂの変形が少なく、しかも、切断面が現れずに操作に際して手を切ることもない等の点で有利であるが、この態様のものに限らず、例えば図１４(A) に示すように案内部９１ｂの下端と天井係止部９１ａの先端とを切離して別個独立のものとして形成することもでき、案内部９１ｂの下端を天井係止部９１ａの先端を上方側から覆い隠すようにしておけば、天井Ｔの穿設孔Ｔ１に下方側から入れる際に天井係止部９１ａが天井Ｔの下面における穿設孔Ｔ１の周部に当たって係止するようなことはない。又、この場合の天井係止部９１ａにおける緩傾斜部９ｂの側面とのなす角度Ｐ１は、特に限定されず、鋭角に設定しても良く、天井Ｔの穿設孔Ｔ１にセットされた後に天井Ｔの上面における穿設孔Ｔ１の周部に係止できる程度であれば良く、適宜変更できる。
【００３７】
更に、図１４(B) に示すように緩傾斜部９ｂの先端を下向きの傾斜面をなす一つの斜片９６から構成するようにし、斜片９６の上面を案内部９１ｂとし、斜片９６の下端を天井係止部９１ａとして実施することもできる。一方、案内部９１ｂは、下向きの傾斜面をなしたものに限らず、天井Ｔの穿設孔Ｔ１に下方側から入れる際に、天井Ｔの下面における穿設孔Ｔ１の周部を滑ることのできる形状であれば良く、例えば図１４(C) に示すように上方から下方にかけて緩傾斜部９ｂからの突出量が漸次多くなる湾曲状のようなものであっても良く、適宜変更できる。
【００３８】
また、天井係止部９１ａと案内部９１ｂとを、本体係止部９２の下方側に設けておけば、上述したように本体部１を傾けて天井Ｔの穿設孔Ｔ１に入れる場合に天井Ｔの下面における穿設孔Ｔ１の周部に天井係止部９１ａ等が当たるおそれを少なくできる点で好ましいが、本体係止部９２の上方側に設けても良く、適宜変更できる。本体係止部９２の上方側に設ける場合は、天井Ｔの下面における穿設孔Ｔ１の周部に当たり易くなるが、その場合においても天井係止部９１ａを上方側から案内部９１ｂが覆っているため、天井係止部９１ａと係止させることなく案内部９１ｂによって天井Ｔの下面における穿設孔Ｔ１の周部を滑らすことができる。更に、天井係止部９１ａ、案内部９１ｂは、弾性片２から延設したものに限らず、別体のものから構成し、弾性片２に取り付けるようにして実施することもできる。
【００３９】
【発明の効果】
以上、本願第１の発明は、天井Ｔの穿設孔Ｔ１に、本体部１を傾けて入れる必要が有る場合にも、天井係止部９１ａ及び案内部９１ｂが天井Ｔの下面における穿設孔Ｔ１の周部に当たり難くできる。又、仮に当たった場合でも、案内部９１ｂが当たり、天井係止部９１が当たるようなことを防止でき、案内部９１ｂによって容易に穿設孔Ｔ１内に入れることができる。従って、効率良く、天井Ｔへの取付け作業を行うことができる。
【００４０】
本願第２の発明は、折り曲げ部１０１、１０２によって、第１湾曲部１１０と、第２湾曲部１１１との二つの湾曲部を本体部１の外方向に突出形成し得るものとするため、本体部１を穿設孔Ｔ１内に傾けて入れる必要がある場合にも、穿設孔Ｔ１の内周壁Ｔ２をいずれかの湾曲部１１０、１１１に当てて本体部１側に押圧させ、弾性片２の本体係止部９２と本体部１の係止用溝５２との係止を確実に外すことができる。従って、特に本体部１を穿設孔Ｔ１内に傾けて入れる場合にも便利に使用できるものとなる。一方、天井係止部９１ａと案内部９１ｂとを、リブ９１から構成することにより、天井係止部９１ａや案内部９１ｂに力がかかった場合に変形し難いものにでき、機能を低下させるようなことを防止できる。
【図面の簡単な説明】
【図１】  本願発明の一実施形態の埋め込み型照明器具の分解斜視図である。
【図２】  上部枠の側片の要部拡大側面図である。
【図３】  図２のIII −III 線に沿う断面図である。
【図４】  (A) は、弾性片の正面図であり、(B) は、その下面図である。又、(C) は、その左側面図である。
【図５】  (A) は、弾性片の先端部を拡大した右側面図、(B) は、(A) のｖ−ｖ線断面図である。
【図６】  弾性片を本体部に取り付けた状態の説面図である。
【図７】  弾性片の係止部を本体部に係止した状態の説明図である。
【図８】  本体部を天井の穿設孔に入れる際の断面説明図である。
【図９】  天井の穿設孔の内周壁によって弾性片の湾曲部を押圧する際の断面説明図である。
【図１０】  厚さの厚い天井に入れた際の断面説明図である。
【図１１】  天井係止部が天井に係止した状態の断面説明図である。
【図１２】  他の弾性片の実施形態の正面図である。
【図１３】  他の実施形態の弾性片を本体部に係止した状態の断面説明図である。
【図１４】  (A) は、天井係止部及び案内部の他の実施形態の説面図、(B) は、天井係止部及び案内部の更に他の実施形態の説面図、(C) は、天井係止部及び案内部の更にもう一つの他の実施形態の説面図である。
【図１５】  (A) は、従来例の斜視図、(B) は、(A) の側面図である。
【図１６】  他の従来例の要部拡大断面図である。
【符号の説明】
１…本体部、２…弾性片、３…下部枠、４…上部枠、５…側片、８…本体取付用片、９…押圧用片、９ａ…急傾斜部、９ｂ…緩傾斜部、５２…係止用溝、９２…本体係止部、９１…リブ、９１ａ…天井係止部、９１ｂ…案内部、Ｔ…天井
Ｔ１…穿設孔
【図１】
0003889829.tif 000002
【図２】
0003889829.tif 000003
【図３】
0003889829.tif 000004
【図４】
0003889829.tif 000005
【図５】
0003889829.tif 000006
【図６】
0003889829.tif 000007
【図７】
0003889829.tif 000008
【図８】
0003889829.tif 000009
【図９】
0003889829.tif 000010
【図１０】
0003889829.tif 000011
【図１１】
0003889829.tif 000012
【図１２】
0003889829.tif 000013
【図１３】
0003889829.tif 000014
【図１４】
0003889829.tif 000015
【図１５】
0003889829.tif 000016
【図１６】
0003889829.tif 000017